(57)【要約】【課題】  飲食店等で使っている幼児専用椅子は、その使い勝手上、手近でかつ容易に見えるように、未使用時は店内の通路や空きスペース等に置くため、歩行の障害になったり店内の見栄えが悪くなるという問題があった。【解決手段】  本考案の椅子は、基板１上に設定されるクッションを分割し、分割された中央クッション５を基板１に対して前後移動が可能なように固定するとともに、中央クッション５の座面前側部５ｃを座面後側部５ｂに対して回転可能なように固定されている。この中央クッション５を前方向に動かし、かつ座面前側部５ｃを座面後側部５ｂの上に重ねることによって、幼児用椅子として必要な大人用椅子に対して前方に位置した背もたれと上方に位置する座面を得ることができる。このような構造とすることによって、大人用椅子に幼児用椅子機能を兼ね備えることができ、幼児専用椅子が不要となる。【選択図】  図２
0003103608.tif 000002
【実用新案登録請求の範囲】
【請求項１】
椅子の背もたれの一部と座面の一部を各々分割し、かつ分割された座面をさらに前後に分割し、分割部分を可動式にしたことを特徴とする食卓用椅子。
【請求項２】
前記の分割された背もたれの一部と座面の一部で、幼児用椅子を構成することを特徴する請求項１記載の食卓用椅子。
【請求項３】
前記幼児用椅子を前方に動かし、かつ分割された座面の前側部を回転させ後側部の上に重ねることによって、幼児用椅子の背もたれと座面の位置を、元の椅子に対して前方かつ上方に変えることができる請求項２記載の食卓用椅子。
【考案の詳細な説明】
【技術分野】
【０００１】  本考案は幼児用椅子機能を兼ね備えた食卓用椅子に関するものである。
【背景技術】
【０００２】  体が小さく座高が低い幼児が、家庭あるいは飲食店等で食事をする時、一般の椅子（以下「大人用椅子」という）に比べて座面が小さくかつ高い幼児専用椅子を利用している。
【考案の開示】
【考案が解決しようとする課題】
【０００３】  飲食店等で幼児が加わったグループが食事をしようとする時、お客用食卓に設置されている大人用椅子を幼児の人数分取り去り、幼児専用椅子と交換していた。この幼児専用椅子への交換は通常飲食店の店員が行うが、店員がすぐにこない場合は、お客みずから交換する場合もある。椅子の交換はお客を待たせないように速やかに行う必要がある一方で、お客みずから交換することも考えると、幼児専用椅子は手近でかつ容易に見えるところに保管する必要があり、飲食店内の通路や空きスペース等に置くのが常であった。このため歩行の障害になったり、店内の見栄えが悪くなるという問題があった。
【課題を解決するための手段】
【０００４】  本考案は大人用椅子の背もたれの一部と座面の一部を分割し、かつ分割された座面をさらに前後に分割した構造としている。この分割された背もたれの一部と座面の一部を前方に移動し、かつ前後に分割された座面前側部を座面後側部の上に重ねることによって、幼児用椅子の必要機能である、大人用椅子に対して前方に位置する背もたれと上方に位置する座面を得ることにより問題を解決している。
【考案の効果】
【０００５】  上述のように、大人用椅子の一部を変化させ、大人用椅子に幼児用椅子の機能を付加することによって、幼児用椅子が必要になった場合、飲食店の店員あるいはお客が大人用椅子を幼児が座れるように変化させるだけですみ、幼児専用椅子を準備しておく必要がなくなるため、幼児専用椅子を通路等に保管することによる歩行の障害や店内の見栄えが悪くなるといった問題を解決できる。
【考案を実施するための最良の形態】
【０００６】  食卓に設置する椅子の中に本考案の椅子を最低１ケ設置しておき、通常は大人用椅子として使い、幼児が加わったグループが食事をしようとした場合、本考案の椅子の分割された背もたれと座面を移動．回転させることによって幼児が座ることが可能となる。幼児の加わったグループが帰ったら、元の大人用椅子の状態に戻す。もし幼児が２人いる場合は他の空いている食卓に設置されている本考案の椅子を持ってくることによって対応可能である。お客みずから本考案の椅子を幼児が座れるように変化させることを考慮し、椅子あるいは近傍に操作要領を表示しておく。
【実施例】
【０００７】  以下、本考案を具体化した一実施例について図示例と共に説明する。図１から図５は、この考案の実施例を示すものである。【０００８】  まず、構成を説明すると、図１に示すように本考案の椅子は背もたれ１ａと座面１ｂが一体になった基板１と脚２によって構成されている。基板１には右側クッション３と左側クッション４が固定されている。右側クッション３と左側クッション４の間には、中央クッション５が基板１の上側に前後方向に移動可能なように組み付けられている。すなわち図３に示すように中央クッション５の裏面に組み込まれた４本のボルト６は基板１に設けらた長穴７を貫通して、基板１を挟むように、かつ中央クッション５が基板１に対して前後移動が可能なように、基板１の厚さ以上の隙をあけてナット８で固定されている。基板１に設けられた長穴７は左右に２個あり、１個の長穴７に対してボルト６は前後に２個設けられている。【０００９】  中央クッション５は背もたれ５ａと座面後側部５ｂと座面前側部５ｃによって構成されており、背もたれ５ａと座面後側部５ｂは一体で、座面前側部５ｃは座面後側部５ｂに対して上方に回転可能なように、蝶番９で固定されている。【００１０】  次に、この実施例の作用について説明する。図１と図３は本考案の椅子の大人用椅子の状態である。この状態から中央クッション５を基板１の上面を前方向に動かす。具体的には中央クッション５と基板１の上端部の隙１０に手を入れ中央クッション５を前側に押出す。押された中央クッション５は中央クッション５の前側に設けられたボルト６が、基板１の長穴７の前端部７ａに当たる位置で止まる。その状態から座面前側部５ｃを蝶番９によって回転させ、座面後側部５ｂの上に重ねる。図２と図４は中央クッション５が前側に移動し、座面前側部５ｃが座面後側部５ｂの上に重なった状態を示す。【００１１】  この実施例によれば、大人用椅子の状態から容易に幼児用椅子の状態に変化させることが可能であり、同じ椅子で大人用椅子と幼児用椅子を兼用できることによって、従来用いていた幼児専用椅子が不要になるという効果が得られる。【００１２】  さらに、別の効果として、通常幼児を連れた母親は幼児のための荷物、具体的には食事用の哺乳瓶．エプロン．タオル．おむつなどを入れた専用の手提げ袋を持ち歩いている。従来は、この手提げ袋を空いた席の上に置くか、席が空いていなければ床の上に置いていた。特に、席が空いていない場合は床に置かざるを得ず、不衛生あるいは手提げ袋が安定しないで倒れる等の問題があった。本考案の椅子では幼児用椅子の状態にすると、図４に示すように、基板１と前側に移動した中央クッション５の間に空間ができるため、ここに前述の手提げ袋１１を置くことができ、手提げ袋を置くスペースに困るという問題も解決されるという効果も得られる。【００１３】  以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があっても、この発明に含まれることは勿論である。
【産業上の利用可能性】
【００１４】  本考案の食卓用椅子は一般家庭の食卓、あるいは飲食店の食卓等で利用できるものである。
【図面の簡単な説明】
【００１５】
【図１】本考案の食卓用椅子の大人用椅子状態の一実施例の斜視図である
【図２】図１の食卓用椅子を幼児用椅子に変化させた状態の斜視図である
【図３】図１の側方断面図である
【図４】図２の側方断面図である
【図５】図１の前方断面図である
【符号の説明】
【００１６】１    基板
１ａ  基板１の背もたれ
１ｂ  基板１の座面
２    脚
３    右側クッション
４    左側クッション
５    中央クッション
５ａ  中央クッション５の背もたれ
５ｂ  中央クッション５の座面後側部
５ｃ  中央クッション５の座面前側部
６    ボルト
７    長穴
７ａ  長穴７の前端部
８    ナット
９    蝶番
１０  中央クッション５と基板１の上端部の隙
１１  手提げ袋
【図１】
0003103608.tif 000003
【図２】
0003103608.tif 000004
【図３】
0003103608.tif 000005
【図４】
0003103608.tif 000006
【図５】
0003103608.tif 000007